(57)【要約】【課題】インバータとアウトレットとを接続する電線の断線を検出するための断線検出手段を提供する。【解決手段】第１の電子装置部と、第１の電子装置部からの電力を負荷に出力する第２の電子装置部と、第１の電子装置部から第２の電子装置部にかけて設けられ第２の電子装置部に負荷が接続されたか否かを検出する検出用回路とを備えた電子装置において、検出用回路は、第１及び第２の直流基準電圧発生回路と、第１及び第２の直流基準電圧を夫々分圧する第１〜第２及び第３〜第４の抵抗とを有し、第１の直流基準電圧発生回路と第１の抵抗の一端が繋がり、第２の直流基準電圧発生回路と第３の抵抗の一端が繋がり、第２及び第４の抵抗の各一端が基準電位に接続され、第１及び第２の抵抗の各他端の間と第３及び第４の抵抗の各他端の間とが電線で接続され、電線の断線を第２の抵抗の両端の電圧により検出する。【選択図】図１
2017078592.tif 000002
【特許請求の範囲】
【請求項１】
第１の電子装置部と、
前記第１の電子装置部の出力側に接続され、前記第１の電子装置部から受けた電力を負荷に出力する第２の電子装置部と、
前記第１の電子装置部から前記第２の電子装置部にかけて設けられ、前記第２の電子装置部に負荷が接続されたか否かを検出する検出用回路とを備え、
前記検出用回路は、
前記第１の電子装置部に設けられ、第１の直流基準電圧を発生する第１の直流基準電圧発生回路と、
前記第１の電子装置部に設けられ、前記第１の直流基準電圧を分圧する第１の抵抗と第２の抵抗と、
前記第２の電子装置部に設けられ、第２の直流基準電圧を発生する第２の直流基準電圧発生回路と、
前記第２の電子装置部に設けられ、前記第２の直流基準電圧を分圧する第３の抵抗と第４の抵抗とを有し、
前記第１の直流基準電圧発生回路と前記第１の抵抗の一端側とが繋がり、
前記第２の直流基準電圧発生回路と前記第３の抵抗の一端側とが繋がり、
前記第２の抵抗の一端側と前記第４の抵抗の一端側とが基準電位に接続され、
前記第１の抵抗の他端側と前記第２の抵抗の他端側との間及び前記第３の抵抗の他端側と前記第４の抵抗の他端側との間が電線により接続され、
前記第２の抵抗の両端の電圧により、前記電線の断線を検出することを特徴とする電子装置。
【請求項２】
前記検出用回路は
前記第２の電子装置部に設けられ、前記負荷が接続されたか否かにより開閉するスイッチと、
該スイッチと直列接続される第５の抵抗とを備え、
前記スイッチは前記電線に接続されるとともに前記第５の抵抗は前記基準電位に接続される
ことを特徴とする請求項１記載の電子装置。
【請求項３】
前記電線は検出用ラインであり、
前記第１の電子装置部と前記第２の電子装置部とはハーネスによって接続されており、
前記第２の抵抗の両端の電圧により、前記ハーネスの断線を検出することを特徴とする請求項１または請求項２に記載の電子装置。
【請求項４】
前記第１の電子装置部から前記ハーネスに印加される電圧が交流電圧であることを特徴とする請求項３に記載の電子装置。
【発明の詳細な説明】
【技術分野】
【０００１】
本発明は、電子装置に関する。
【背景技術】
【０００２】
自動車には、パーソナルコンピュータ、テレビ、電気ポット、又は冷蔵庫等の電化製品を利用するためのアウトレットが備えられることがある。アウトレットに供給される交流電力は、自動車に搭載されたインバータにより生成される。インバータにより生成された交流電圧は、アウトレットが備えるレセプタクルへハーネスを介して出力される。
【０００３】
なお、関連する技術として特許文献１が知られている。
【先行技術文献】
【特許文献】
【０００４】
【特許文献１】特開２０１４−２０６３８６号公報
【発明の概要】
【発明が解決しようとする課題】
【０００５】
しかしながら、ハーネスの断線を検出するための装置や方法がないと、交流電圧がレセプタクルから出力されない場合に、インバータが故障しているのか、それともハーネスが断線しているのかを瞬時に特定できない。なお、上記の特許文献１に記載の断線検出回路は、１２Ｖのバッテリ電源の電圧そのもの等を出力する定電圧供給装置と、定電圧供給装置からの出力電圧で駆動する直流モータ等の負荷装置とを接続するケーブルの断線を検出するにすぎない。
【０００６】
本発明の一側面に係る目的は、インバータとアウトレットとを接続する電線の断線を検出するための断線検出手段を提供することである。
【課題を解決するための手段】
【０００７】
第１の発明は、第１の電子装置部と、第１の電子装置部の出力側に接続され、第１の電子装置部から受けた電力を負荷に出力する第２の電子装置部と、第１の電子装置部から第２の電子装置部にかけて設けられ、第２の電子装置部に負荷が接続されたか否かを検出する検出用回路とを備えた電子装置において、検出用回路は、第１の電子装置部に設けられ、第１の直流基準電圧を発生する第１の直流基準電圧発生回路と、第１の電子装置部に設けられ、第１の直流基準電圧を分圧する第１の抵抗と第２の抵抗と、第２の電子装置部に設けられ、第２の直流基準電圧を発生する第２の直流基準電圧発生回路と、第２の電子装置部に設けられ、第２の直流基準電圧を分圧する第３の抵抗と第４の抵抗とを有し、第１の直流基準電圧発生回路と第１の抵抗の一端側とが繋がり、第２の直流基準電圧発生回路と第３の抵抗の一端側とが繋がり、第２の抵抗の一端側と第４の抵抗の一端側とが基準電位に接続され、第１の抵抗の他端側と第２の抵抗の他端側との間及び第３の抵抗の他端側と第４の抵抗の他端側との間が電線により接続され、第２の抵抗の両端の電圧により、電線の断線を検出する。
【０００８】
第２の発明は、第１の発明において、検出用回路は、第２の電子装置部に設けられ負荷が接続されたか否かにより開閉するスイッチと、該スイッチと直列接続される第５の抵抗とを備え、スイッチは電線に接続されるとともに第５の抵抗は前記基準電位に接続される。
【発明の効果】
【０００９】
第１の発明によれば、第２の抵抗の両端の電圧によって、第１の電子装置部と第２の電子装置部の間にある電線の断線を検出できる。
第２の発明によれば、第１の発明の効果に加えて、第２の抵抗の両端の電圧により、レセプタクルといった出力部への電気機器の接続の有無も検出できる。
【図面の簡単な説明】
【００１０】
【図１】一実施形態であるＡＣインバータ装置の構成例を示す図である。
【図２】実施形態のＡＣインバータ装置の状態遷移図である。
【図３】図２に示した各状態遷移の説明図である。
【図４】図２に示した状態（Ａ）、（Ｂ）、及び（Ｃ）における第１の抵抗〜第５の抵抗による回路の等価回路を示す図である。
【図５】実施形態に従ったＡＣインバータ装置のアウトレット部の変形例を示す図である。
【発明を実施するための形態】
【００１１】
以下図面に基づいて実施形態について詳細を説明する。
図１は、一実施形態であるＡＣインバータ装置の構成例を示す図である。図１に示すように、ＡＣインバータ装置は、ＡＣインバータ部１、ＡＣハーネス２、アウトレット部３、信号ハーネス４、及び二次電池５とで構成され、自動車等に搭載される。図１に示したＡＣインバータ装置は実施形態に従った電子装置の一例であり、ＡＣインバータ部１は第１の電子装置部の一例であり、アウトレット部３は第２の電子装置部の一例である。図１に示すように、ＡＣハーネス２と信号ハーネス４は、ＡＣインバータ部１とアウトレット部３との間に設けられ、両者を電気的に接続する。二次電池５は、ＡＣインバータ部１に接続され、ＡＣインバータ装置に電源を供給する。
【００１２】
ＡＣインバータ部１は、ＤＣ／ＡＣ変換部１１、第１の定電圧回路１２、第１の抵抗１３、及び第２の抵抗１４を含む。
ＤＣ／ＡＣ変換部１１は、二次電池５から供給される直流電圧を所定の実効値の交流電圧に変換する。通常、交流電圧は地域により、実効値が１００Ｖ、１２０Ｖ、又は２３０Ｖであるが、これらの値に限定されるわけではない。第１の定電圧回路１２は、ＡＣインバータ部１内の電圧から、直流基準電圧Ｖｒ１（第１の直流基準電圧）を生成する。第１の定電圧回路１２の出力には、第１の抵抗１３と第２の抵抗１４とが直列に接続され、これらの抵抗１３、１４は直流基準電圧Ｖｒ１を分圧する。
【００１３】
第１の定電圧回路１２は、第１の直流基準電圧発生回路の一例である。第１の定電圧回路１２としては、３端子レギュレータ、スイッチングレギュレータ、及びツェナーダイオードを使った定電圧回路等が考えられる。
【００１４】
ＤＣ／ＡＣ変換部１１で発生した交流電圧は、ＡＣハーネス２によって、アウトレット部３に送られる。ＡＣハーネス２は２本の電線２１、２２から構成され、ＡＣハーネス２に印加される電圧は、前述したような所定の実効値を有する交流電圧であってもよい。
【００１５】
アウトレット部３は、ＡＣインバータ部１の出力側に接続され、ＡＣインバータ部１から受けた電力を負荷に出力する。具体的には、アウトレット部３はレセプタクル３１を備え、レセプタクル３１から、プラグ等を介して、ＤＣ／ＡＣ変換部１１が発生した交流電圧が負荷（図示せず）の電気機器へ供給される。電気機器としては、例えば、パーソナルコンピュータ、テレビ、電気ポット、及び携帯電話等の充電器等がある。レセプタクル３１には機械的なスイッチ３２が備えられ、レセプタクル３１に電気機器が接続されたときスイッチ３２は閉じ、レセプタクル３１に電気機器が接続されていないときにはスイッチ３２は開いている。
【００１６】
アウトレット部３は、基準電圧発生回路３３、第３の抵抗３４、第４の抵抗３５、及び第５の抵抗３６を備える。基準電圧発生回路３３は、第２の直流基準電圧発生回路の一例である。基準電圧発生回路３３は、絶縁用キャパシタ３３１、３３２、ダイオード３３３、平滑用抵抗３３４、平滑用キャパシタ３３５、及び第２の定電圧回路３３６を有する。
【００１７】
第２の定電圧回路３３６としては、第１の定電圧回路１２と同様、３端子レギュレータ、スイッチングレギュレータ、及びツェナーダイオードを使った定電圧回路等が考えられる。
【００１８】
図１に示すように、絶縁用キャパシタ３３１の一端はＡＣハーネス２の一方の電線２１に接続し、他端はダイオード３３３のアノードに接続する。ダイオード３３３のカソードは平滑用抵抗３３４の一端に接続し、平滑用抵抗３３４の他端は、平滑用キャパシタ３３５の一端と第２の定電圧回路３３６の入力端とに接続する。
【００１９】
また、絶縁用キャパシタ３３２の一端は、ＡＣハーネス２の他方の電線２２に接続し、絶縁用キャパシタ３３２の他端は平滑用キャパシタ３３５の他端及び第２の定電圧回路３３６の基準電位端子に接続する。
【００２０】
絶縁用キャパシタ３３１、３３２、及び平滑用キャパシタ３３５の各容量、並びに平滑用抵抗３３４の抵抗値は、第２の定電圧回路３３６に入力される電圧が、第２の定電圧回路３３６から出力される直流基準電圧Ｖｒ２（第２の直流基準電圧）よりも大きくなるように選択及び設定される。この実施形態では、第２の定電圧回路３３６から出力される直流基準電圧Ｖｒ２は、第１の定電圧回路１２から出力される直流基準電圧Ｖｒ１と同じ値に設定されている。
【００２１】
第３の抵抗３４と第４の抵抗３５との直列接続回路が、第２の定電圧回路３３６の出力端子と基準電圧端子との間に接続され、スイッチ３２と第５の抵抗３６との直列接続回路が、第４の抵抗３５と並列に接続される。
【００２２】
信号ハーネス４（検出用ライン）は、２本の電線４１、４２からなり、ＡＣインバータ部１内の第２の抵抗１４と、アウトレット部３内の第４の抵抗３５とを並列に接続している。
【００２３】
ＡＣハーネス２の電線２１、２２及び信号ハーネス４の電線４１、４２は、他の電線とともに一つに束ねられて自動車内に配置される。電線２１、２２、４１、４２は、通常コネクタに接続されていて、ＡＣインバータ部１及びアウトレット部３が自動車内に組付けられた後に、コネクタによってＡＣインバータ部１及びアウトレット部３に電気的に接続される。
【００２４】
上述したような構成例では、ＡＣインバータ装置には、ＡＣインバータ部１からアウトレット部３にかけて検出用回路６が設けられており、検出用回路６はアウトレット部３に負荷が接続されたか否かを検出する。
【００２５】
具体的には、検出用回路６は、第１の直流基準電圧を発生する第１の定電圧回路１２と、第１の直流基準電圧を分圧する第１の抵抗１３及び第２の抵抗１４とを有する。図１に示すように、第１の定電圧回路１２、第１の抵抗１３、及び第２の抵抗１４は、ＡＣインバータ部１に設けられる。また、検出用回路６は、第２の直流基準電圧を発生する基準電圧発生回路３３と、第２の直流基準電圧を分圧する第３の抵抗３４と第４の抵抗３５とを有する。図１に示すように、基準電圧発生回路３３、第３の抵抗３４、及び第４の抵抗３５は、アウトレット部３に設けられる。なお、図１に示すように、第１の定電圧回路１２と第１の抵抗１３の一端側とが繋がり、基準電圧発生回路３３と第３の抵抗３４の一端側とが繋がる。また、第２の抵抗１４の一端側と第４の抵抗３５の一端側とが基準電位に接続され、第１の抵抗１３の他端側と第２の抵抗１４の他端側との間及び第３の抵抗３４の他端側と第４の抵抗３５の他端側との間が電線４１により接続される。
【００２６】
上述したような構成において、検出用回路６は、第２の抵抗１４の両端の電圧により、電線４１の断線を検出する。
また、検出用回路６は、負荷が接続されたか否かにより開閉するスイッチ３２と、スイッチ３２と直列接続される第５の抵抗３６とを更に備えてもよい。図１に示すように、スイッチ３２は、アウトレット部３に設けられ、電線４１に接続される。また、第５の抵抗３６は基準電位に接続される。こうした構成によれば、第２の抵抗１４の両端の電圧により、レセプタクル３１への電気機器（負荷）の接続の有無も検出できる。
【００２７】
さらに、検出用回路６は、第２の抵抗１４の両端の電圧により、ＡＣハーネス２の断線を検出するように更に構成されてもよい。
ＡＣインバータ部１、アウトレット部３、及び検出用回路６を備えるＡＣインバータ装置による断線検出を図２〜図４を参照しながら説明する。なお、以下の説明では、第１の抵抗１３、第３の抵抗〜第５の抵抗３４、３５、３６の各抵抗値は、以下の式（１）で示される比になるように選択及び設定されるものとする。ただし、式（１）においては、第１の抵抗１３の抵抗値をＲ１、第４の抵抗３５の抵抗値をＲ２、第５の抵抗３６の抵抗値をＲ３、第３の抵抗３４の抵抗値をＲ４としており、第２の抵抗１４の抵抗値は、他の抵抗の抵抗値によりも十分に大きい（例えば５０倍以上）と仮定している。第２の抵抗１４の抵抗値を大きくするほど、以下で示される電圧の計算値と実際の値との乖離を小さくできる。また、式（１）はあくまで例示であり、Ｒ１〜Ｒ４の各抵抗値は、式（１）で示される比でなくてもよい。
【００２８】
また、本実施形態では、直流基準電圧Ｖｒ１と直流基準電圧Ｖｒ２とは同じ値（Ｖｒ）に設定されている。両直流基準電圧を同じ値に設定する必要はないが、同じ値にすると、以下の示すように、計算が簡単になる。
【００２９】
【数１】
2017078592.tif 000003
図２は、実施形態のＡＣインバータ装置の状態遷移図である。図３は、図２に示した各状態遷移の説明図である。図４は、図２に示した状態（Ａ）、（Ｂ）、及び（Ｃ）における第１の抵抗〜第５の抵抗による回路の等価回路を示す図である。
【００３０】
ここで、「断線」とは、電線が電気的に非導通になることだけでなく、コネクタの未接続等、電気的に接続されるべきところが接続されていないことを含む。
＜状態(Ａ)＞
図２に示す状態(Ａ)は、ＡＣインバータ部１に二次電池５から電源が供給された後の初期状態である。状態(Ａ)では、ＡＣインバータ部１の制御回路（図示せず）は動作を開始するが、ＡＣインバータ部１からは交流電圧が出力されない。状態(Ａ)では、レセプタクル３１に電気機器が接続されずにスイッチ３２が開いている場合と、レセプタクル３１に電気機器が接続されてスイッチ３２が閉じている場合が考えられる。
【００３１】
レセプタクル３１に電気機器が接続されていない時、図４（Ｂ）に示す等価回路中のスイッチ３２は開いている。この時の第２の抵抗の両端の電圧Ｖｓｔは、次の式（２）のように２／５Ｖｒである。
【００３２】
【数２】
2017078592.tif 000004
レセプタクル３１に電気機器が接続されていない場合には、ＤＣ／ＡＣ変換部１１で発生した交流電圧は、ＡＣハーネス２に印加されず、状態（Ｂ）に移る。
【００３３】
一方、レセプタクル３１に電気機器が接続されている時、図４（Ｂ）に示す等価回路中のスイッチ３２は閉じている。この時の第２の抵抗の両端の電圧Ｖｓｔは、次の式（３）のように１／５Ｖｒである。
【００３４】
【数３】
2017078592.tif 000005
ＡＣインバータ部１の制御回路がこの電圧を検出したら、ＤＣ／ＡＣ変換部１１で発生した交流電圧をＡＣハーネス２に出力し、状態（Ｃ）に移る。
【００３５】
以上が正常な場合であるが、状態（Ａ）において、信号ハーネス４が断線している場合、電圧ＶｓｔはＶｒを第１の抵抗１３と第２の抵抗１４とで分圧した値になるが、仮定により、第２の抵抗１４の値は第１の抵抗１３の値に比べて十分大きいので、電圧ＶｓｔはほぼＶｒに等しくなる。したがって、電圧Ｖｓｔの値により、信号ハーネス４の断線を検出できる。
＜状態（Ｂ）＞
図２に示す状態（Ｂ）は、スタンバイ状態、すなわち、レセプタクル３１に電気機器が接続されるのをＡＣインバータ部１が待機している状態である。状態（Ｂ）では、ＡＣインバータ部１からは交流電圧がＡＣハーネス２に出力されていない。また、状態（Ｂ）では、レセプタクル３１には電気機器が接続されておらず、スイッチ３２は開いている。図４（Ｂ）においてスイッチ３２が開いた状態が、状態（Ｂ）における等価回路である。
【００３６】
正常な状態において、電圧Ｖｓｔは、前述した式（２）のように２／５Ｖｒである。電圧Ｖｓｔが２／５Ｖｒを維持する間、状態（Ｂ）を継続する。
次に、状態（Ｂ）においてレセプタクル３１に電気機器が接続されると、図４（Ｂ）に示す等価回路中のスイッチ３２は閉じる。この時の電圧Ｖｓｔは、前述した式（３）のように１／５Ｖｒである。状態（Ｂ）において電圧Ｖｓｔが１／５Ｖｒに変化した場合、ＡＣインバータ部１で発生した交流電圧はＡＣハーネス２に印加され、図２に示すように、状態（Ｂ）から状態（Ｃ）へ移行する。このように、電圧Ｖｓｔの値によって、レセプタクル３１に電気機器が接続されたことが検出できる。
【００３７】
一方、信号ハーネス４が断線している場合、電圧Ｖｓｔは、レセプタクル３１に電気機器が接続されているか否かに関係なく前述のようにＶｒとなる。したがって、状態（Ｂ）において電圧ＶｓｔがＶｒである場合、信号ハーネス４の断線が検出される。
＜状態（Ｃ）＞
図２に示す状態（Ｃ）は、電力供給状態、すなわち、ＡＣインバータ部１がＡＣハーネス２及びレセプタクル３１を介して電気機器へ電力を供給する状態である。状態（Ｃ）では、ＤＣ／ＡＣ変換部１１からＡＣハーネス２に交流電圧が印加されている。また、状態（Ｃ）では、レセプタクル３１に電気機器が接続されており、スイッチ３２は閉じている。図４（Ａ）において、スイッチ３２が閉じた状態が等価回路である。
【００３８】
正常な状態において、状態（Ｃ）では電圧Ｖｓｔは、式（４）のように３／５Ｖｒである。したがって、状態（Ｃ）において電圧Ｖｓｔが３／５Ｖｒである間は、図２に示すように、状態（Ｃ）を継続する。
【００３９】
【数４】
2017078592.tif 000006
状態（Ｃ）においてレセプタクル３１から電気機器が外されると、図４（Ａ）に示す等価回路においてスイッチ３２は開く。この時の電圧Ｖｓｔは、式(５)のように４／５Ｖｒとなる。したがって、図２に示すように、電圧Ｖｓｔが４／５Ｖｒになった場合、ＤＣ／ＡＣ変換部１１で発生した交流電圧をＡＣハーネス２に印加するのをやめて、状態（Ｂ）へ移行する。
【００４０】
【数５】
2017078592.tif 000007
一方、ＡＣハーネス２が断線している場合、第２の定電圧回路３３６から基準電圧Ｖｒ２が出力されない。このため、等価回路は図４（Ｂ）においてスイッチ３２が閉じた状態となるので、電圧Ｖｓｔは、式（３）に示されるように１／５Ｖｒとなる。このように、電圧Ｖｓｔの値によって、ＡＣハーネス２の断線が検出できる。
【００４１】
また、信号ハーネス４が断線している場合、電圧Ｖｓｔは、前述のようにＶｒである。したがって、状態（Ｃ）において電圧Ｖｓｔの値によって、信号ハーネス４の断線が検出できる。
【００４２】
以上説明した通り、ＡＣハーネス２の断線は状態（Ｃ）においてのみ可能であり、状態（Ｃ）を実現するためには、レセプタクル３２に電気機器を接続する必要がある。しかしながら、例えば自動車の組み立てラインにおける検査のように、時間的、品質的、もしくは安全の観点から、レセプタクル３２に電気機器を接続せずに、ＡＣハーネス２と信号ハーネス４の両方の断線検出を行いたい場合がある。
【００４３】
このような場合には、例えば、外部から信号等を与えることにより、レセプタクル３２に電気機器を接続しなくても強制的に状態（Ｃ）に移行するように、あらかじめＡＣインバータ部１の制御回路を設計しておき、組み立てライン等でこの信号を与えることにより、状態（Ｃ）を実現して、電圧Ｖｓｔの値を参照して、ＡＣハーネス２及び信号ハーネス４の断線の有無を検査することも可能である。
【００４４】
以上の説明のように、実施形態によれば、電圧Ｖｓｔの値を参照することで、ＡＣインバータ部１とアウトレット部３とを接続するハーネスの断線を検出できる。前述の通り、この断線検出は、レセプタクル３１に電気機器が接続されているか否かに関係なく可能である。
【００４５】
また、実施形態によれば、電圧Ｖｓｔの値を参照することで、レセプタクル３１に電気機器が接続されているか否かも検出できる。
本発明は、以上の実施の形態に限定されるものでなく、本発明の要旨を逸脱しない範囲内で種々の改良、変更が可能である。例えば、以下の項目（１）〜（６）のように上述の実施形態を改良、変更することが可能である。
【００４６】
（１）実施形態に従った電子装置を構成する第１の電子装置部及び第２の電子装置部は、ＡＣインバータ部１及びアウトレット部３の組合せに限られない。すなわち、第１の電子装置部が第１の直流基準電圧を発生させ、ハーネスを介して第１の電子装置部から第２の電子装置部に印加される電圧を入力として第２の電子装置部が第２の直流基準電圧を発生させる構成を有する第１及び第２の電子装置部であればよい。
【００４７】
（２）説明を明確にするために、上述の実施形態では、直流基準電圧Ｖｒ１（第１の直流基準電圧）と直流基準電圧Ｖｒ２（第２の直流基準電圧）とは同じ値（Ｖｒ）としたが、直流基準電圧Ｖｒ１と直流基準電圧Ｖｒ２は異なる値でもよい。
【００４８】
（３）図１に示した構成例において、レセプタクル３１への電気機器の挿抜に連動して開閉するスイッチ３２は設けられなくてもよい。スイッチ３２が設けられていないＡＣインバータ装置は、例えば、スイッチ３２が常時閉じたＡＣインバータ装置と同様に状態を遷移させる。具体的には、図２〜図４を参照しながら上述した実施形態を前提とすると、スイッチ３２が設けられていないＡＣインバータ装置の状態遷移は以下のように説明できる。
＜状態（Ａ）＞
状態(Ａ)において、第２の抵抗の両端の電圧Ｖｓｔが１／５Ｖｒであることが検出されると、ＤＣ／ＡＣ変換部１１で発生した交流電圧はＡＣハーネス２に出力され、状態（Ｃ）に移る。
【００４９】
一方、状態（Ａ）において、信号ハーネス４が断線している場合、電圧ＶｓｔはほぼＶｒに等しくなる。したがって、Ｖｓｔの値により、信号ハーネス４の断線を検出できる。
＜状態（Ｃ）＞
正常な状態において、状態（Ｃ）では電圧Ｖｓｔは３／５Ｖｒである。したがって、状態（Ｃ）において電圧Ｖｓｔが３／５Ｖｒである間は状態（Ｃ）を継続する。
【００５０】
一方、ＡＣハーネス２が断線している場合、第２の定電圧回路３３６から直流基準電圧Ｖｒ２が出力されない。このため、電圧Ｖｓｔは１／５Ｖｒとなる。このように、電圧Ｖｓｔの値によって、ＡＣハーネス２の断線が検出できる。
【００５１】
また、信号ハーネス４が断線している場合、電圧ＶｓｔはＶｒである。したがって、状態（Ｃ）において電圧Ｖｓｔの値によって、信号ハーネス４の断線が検出できる。
このように、図１に示した構成例においてスイッチ３２を設けなくても、実施形態に従った電子装置はハーネスの断線を検出できる。
【００５２】
（４）ＡＣインバータ部１内の第１の定電圧回路１２の入力として、ＤＣ／ＡＣ変換部１１の出力交流電圧を用いてもよい。こうした構成において、ＤＣ／ＡＣ変換部１１の出力交流電圧が故障により低下すると、定電圧回路１２に入力される電圧は低下し、第１の基準電圧Ｖｒ１よりも低下した電圧が定電圧回路１２から出力される。この結果、電圧Ｖｓｔは正常時の値よりも低下する。したがって、こうした構成によれば、電圧Ｖｓｔにより、ＤＣ／ＡＣ変換部１１の故障も検出できる。
【００５３】
（５）図１に示した構成例では、絶縁素子として絶縁キャパシタ３３１、３３２を用いたが、絶縁キャパシタ３３１、３３２は、トランスやカプラ等のその他の絶縁素子に置き換え可能である。
【００５４】
（６）アウトレット部３は、レセプタクル３１に電気機器が接続されたことを検出した場合に、入力された交流電圧をレセプタクル３１から電気機器へ出力するように構成されてもよい。図５は、実施形態に従ったＡＣインバータ装置のアウトレット部の変形例を示す図である。説明を明確にするために、図５では、図１に示したＡＣインバータ部１及びアウトレット部３の一部が図示されている。
【００５５】
図５に示す一例では、アウトレット部３は、レセプタクル３１に電気機器が接続されると閉じる感電防止スイッチ３７をＡＣハーネス２とレセプタクル３１の端子との間に備える。すなわち、電線２１と電圧端子（ホットエンド）３１１との間には、第１の感電防止スイッチ３７１が備えられ、電線２２と接地端子（コールドエンド）３１２との間には、第２の感電防止スイッチ３７２が備えられる。
【００５６】
感電防止スイッチ３７は、レセプタクル３１に電気機器が接続されると機械的に閉じる機械式スイッチであってもよい。ＡＣハーネス２とレセプタクル３１の端子との間に備えられた各機械式スイッチが閉じると、ＡＣインバータ部１からアウトレット部３に入力された交流電圧は、レセプタクル３１から電気機器へ出力される。
【００５７】
また、感電防止スイッチ３７は、マイクロスイッチ及びリレーから構成されてもよい。マイクロスイッチは、レセプタクル３１に電気機器が接続されたことを検出すると、ＡＣハーネス２とレセプタクル３１の端子との間に備えられた各リレーのコイルを励磁する。コイルが励磁されて各リレーが閉じると、ＡＣインバータ部１からアウトレット部３に入力された交流電圧は、レセプタクル３１から電気機器へ出力される。
【００５８】
上述のような構成によれば、レセプタクル３１に電機機器が接続されていない場合には、レセプタクル３１の端子に交流電圧が印加されないため、アウトレット部３のユーザが感電することを防止できる。
【００５９】
また、上述のような構成によれば、例えば、アウトレット部３での感電を防止するための回路をＡＣインバータ部１が備える必要がない。また、例えば、アウトレット部３での感電を防止するための制御をＡＣインバータ部１が行う必要がない。したがって、スイッチ３２を設け、当該スイッチの開閉に従ってＡＣインバータ部１が交流電圧を出力、停止する必要がなくなり、前述の実施形態の変更（３）に示すように、スイッチ３２およびＡＣインバータ部１の当該制御を削除しても、アウトレット部３での感電を防止できる。また、ＡＣインバータ部１の回路や制御を複雑化させずに、ＡＣハーネス２を介してＡＣインバータ部１と接続するアウトレット部３を複数（例えば、３つ）に増やすことができる。
【符号の説明】
【００６０】
１    ＡＣインバータ部
１１    ＤＣ／ＡＣ変換部
１２    第１の定電圧回路
１３    第１の抵抗
１４    第２の抵抗
２    ＡＣハーネス
２１、２２    電線
３    アウトレット部
３１    レセプタクル
３１１    電圧端子（ホットエンド）
３１２    接地端子（コールドエンド）
３２    スイッチ
３３    基準電圧発生回路
３３１、３３２    絶縁用キャパシタ
３３３    ダイオード
３３４    平滑用抵抗
３３５    平滑用キャパシタ
３３６    第２の定電圧回路
３４    第３の抵抗
３５    第４の抵抗
３６    第５の抵抗
３７    感電防止スイッチ
３７１    第１の感電防止スイッチ
３７２    第２の感電防止スイッチ
４    信号ハーネス
４１、４２    電線
５    二次電池
６    検出用回路
【図１】
2017078592.tif 000008
【図２】
2017078592.tif 000009
【図３】
2017078592.tif 000010
【図４】
2017078592.tif 000011
【図５】
2017078592.tif 000012